(57)【要約】【課題】設置が容易であり電極組立体と安定的に固定することができる二次電池を提供する。【解決手段】本発明に係る二次電池１００は、複数の電極組立体１０と、電極組立体１０を収容するケース３４、及びリードタップ４０，５０によって電極組立体１０に電気的に連結する少なくとも一つの電極端子２１，２２を含む。さらに、リードタップ４０，５０は、端子接合部５１と、端子接合部５１から延びて複数のタップ枝部を含む枝部を有し、各々のタップ枝部は、電極組立体１０のいずれか一つと電気的に連結される主ボディー５３ａと、主ボディー５３ａから角度を有して折曲された傾斜ボディー５３ｂを有する。【選択図】図２
2011146379.tif 000002
【特許請求の範囲】
【請求項１】
複数の電極組立体、
前記電極組立体を収容するケース、及び
リードタップによって前記電極組立体に電気的に連結される少なくとも一つの電極端子、を含み、
前記リードタップは、
端子接合部と、
前記端子接合部から延びて複数のタップ枝部を含む枝部とを含み、
前記各々のタップ枝部は、前記電極組立体のいずれか一つと電気的に連結される主ボディーと、前記主ボディーから角度を有して折曲された傾斜ボディーとを有することを特徴とする、二次電池。
【請求項２】
前記枝部は前記傾斜ボディーから延びる挿入チップをさらに含み、前記挿入チップは前記電極組立体のいずれか一つと間隔をおいて離隔配置されることを特徴とする、請求項１に記載の二次電池。
【請求項３】
前記挿入チップと前記主ボディーは互いに平行な方向に延びることを特徴とする、請求項２に記載の二次電池。
【請求項４】
前記挿入チップは前記傾斜ボディーから角度を有して延びることを特徴とする、請求項２に記載の二次電池。
【請求項５】
前記端子接合部は少なくとも一つの前記電極端子が貫通する端子孔を有することを特徴とする、請求項１に記載の二次電池。
【請求項６】
連結板が前記端子連結部の周縁から延び、前記枝部は前記連結板から延びることを特徴とする、請求項１に記載の二次電池。
【請求項７】
前記枝部は前記端子接合部から延びる第１分枝部をさらに含み、前記タップ枝部のうちの少なくとも一つは前記第１分枝部から延びることを特徴とする、請求項１に記載の二次電池。
【請求項８】
前記端子接合部から延びる第２分枝部をさらに含み、前記タップ枝部のうちの少なくとも一つは前記第２分枝部から延びることを特徴とする、請求項７に記載の二次電池。
【請求項９】
前記各々のタップ枝部の主ボディーは互いに平行な方向に延びることを特徴とする、請求項１に記載の二次電池。
【請求項１０】
前記各々のタップ枝部は四角形であることを特徴とする、請求項１に記載の二次電池。
【請求項１１】
前記傾斜ボディーは前記主ボディーが連結される電極組立体のいずれか一つから離隔する方向に角度を有して折曲されたことを特徴とする、請求項１に記載の二次電池。
【請求項１２】
前記傾斜ボディーは５度〜９０度の範囲の角度に折曲されたことを特徴とする、請求項１に記載の二次電池。
【請求項１３】
前記各々の電極組立体は活物質が塗布されない無地部を有し、前記各々のタップ枝部の主ボディーは前記電極組立体のうちの一つの無地部に付着されることを特徴とする、請求項１に記載の二次電池。
【請求項１４】
前記リードタップは少なくとも３つの電極組立体を前記電極端子に電気的に連結されるように構成されたことを特徴とする、請求項１に記載の二次電池。
【請求項１５】
前記主ボディーは前記複数の電極組立体のうちの一つに溶接されることを特徴とする、請求項１に記載の二次電池。
【請求項１６】
少なくとも一つの付加的な電極端子をさらに含み、
付加的なリードタップが前記少なくとも一つの付加的な電極端子に電気的に連結されることを特徴とする、請求項１に記載の二次電池。
【発明の詳細な説明】
【技術分野】
【０００１】
本発明は二次電池に関し、より詳しくは、集電リードタップの構造を改善した二次電池に関する。
【背景技術】
【０００２】
二次電池（ｒｅｃｈａｒｇｅａｂｌｅ  ｂａｔｔｅｒｙ）は充電が不可能な一次電池とは異なって充放電が可能な電池である。低容量の二次電池は携帯電話やノートパソコン及びカムコーダーのように携帯が可能な小型電子機器に使用され、大容量電池はハイブリッド自動車などのモータ駆動用電源として幅広く使用されている。
【０００３】
最近、高エネルギー密度の非水電解液を利用した高出力二次電池が開発されており、前記高出力二次電池は大電力を必要とする機器、例えば、電気自動車などのモータ駆動に用いることができるように複数の二次電池を直列連結して高出力の二次電池として構成される。
【０００４】
また、一つの高出力二次電池は通常直列連結される複数の二次電池からなり、二次電池は円型や角型などからなってもよい。
【０００５】
角型二次電池は、ケースに内蔵される電極組立体と、集電リードタップを媒介として電気的に連結されてケースの外側に突出する端子を含んでもよい。
【発明の概要】
【発明が解決しようとする課題】
【０００６】
しかしながら、複数の電極組立体を一つのケースに挿入しようとする場合、電極組立体の間に集電リードタップを挿入しなければならないが、無地部の間の空間が極めて小さくて集電リードタップを挿入する過程において無地部が損傷する問題が生じることがある。集電リードタップを一部の電極組立体にだけ取り付ける場合には電流の移動経路が長くなって抵抗が増加し、多量の熱が発生する問題がある。
【０００７】
そこで、本発明は、上記問題に鑑みてなされたものであり、本発明の目的とするところは、設置が容易であり電極組立体と安定的に固定すること可能な、新規かつ改良された二次電池を提供することである。
【課題を解決するための手段】
【０００８】
上記課題を解決するために、本発明のある観点によれば、複数の電極組立体と、前記電極組立体を収容するケース、及びリードタップによって前記電極組立体と電気的に連結される少なくとも一つの電極端子を含む。さらに、前記リードタップは、端子接合部と、前記端子接合部から延びて複数のタップ枝を含む枝部を含み、前記各々のタップ枝部は前記電極組立体のいずれか一つと電気的に連結される主ボディーと、前記主ボディーから角度を有して折曲された傾斜ボディーを有する二次電池が提供される。
【０００９】
前記枝部は前記傾斜ボディーから延びる挿入チップをさらに含み、前記挿入チップは前記電極組立体のいずれか一つと間隔をおいて離隔配置されてもよい。
【００１０】
前記挿入チップと前記主ボディーは互いに平行な方向に延びてもよく、また、前記挿入チップは前記傾斜ボディーから角度を有して延びてもよい。
【００１１】
前記端子接合部は少なくとも一つの前記電極端子が貫いて延びる端子孔を有してもよい。
【００１２】
連結板が前記端子連結部の周縁から延び、前記枝部は前記連結板から延びてもよい。
【００１３】
前記枝部は前記端子接合部から延びる第１分枝部（ｂｒａｎｃｈ  ｐｏｒｔｉｏｎ）をさらに含み、前記タップ枝部のうちの少なくとも一つは前記第１分枝部から延びてもよい。
【００１４】
前記端子接合部から延びる第２分枝部をさらに含み、前記タップ枝部のうちの少なくとも一つは前記第２分枝部から延びてもよい。
【００１５】
前記各々のタップ枝部の主ボディーは互いに平行な方向に延びてもよく、また、前記各々のタップ枝部は四角形からなってもよい。
【００１６】
前記傾斜ボディーは前記主ボディーが連結される電極組立体のいずれか一つから離隔する方向に角度を有して折曲されてもよく、また、前記傾斜ボディーは５度〜９０度の範囲の角度に折曲されてもよい。
【００１７】
前記各々の電極組立体は活物質が塗布されない無地部を有し、前記各々のタップ枝部の主ボディーは前記電極組立体のうちの一つの無地部に付着されてもよい。
【００１８】
前記リードタップは少なくとも３つの電極組立体を前記電極端子と電気的に連結されるように構成してもよく、また、前記主ボディーは前記電極組立体のうちの一つに溶接されてもよい。
【００１９】
また、少なくとも一つの付加的な電極端子をさらに含み、付加的なリードタップが前記少なくとも一つの付加的な電極端子と電気的に連結されてもよい。
【発明の効果】
【００２０】
本発明によれば、折曲バーが形成されて、無地部に干渉されずに集電リードタップを電極組立体の間に容易に設置することができる。
【図面の簡単な説明】
【００２１】
【図１】本発明の第１実施形態に係る二次電池を示した斜視図である。
【図２】図１においてＩＩ−ＩＩ線に沿って切断して示した断面図である。
【図３】本発明の第１実施形態に係る集電リードタップを示した斜視図である。
【図４】本発明の第１実施形態に係る集電リードタップが複数の電極組立体に付着された状態を示した側面図である。
【図５】本発明の第２実施形態に係る集電リードタップを示した斜視図である。
【図６】本発明の第２実施形態に係る集電リードタップが電極組立体に付着された状態を示した側面図である。
【図７】本発明の第３実施形態に係る集電リード部材が複数の電極組立体に設置されたことを示した側面図である。
【図８】本発明の第４実施形態に係る集電リード部材が電極組立体に設置されたことを示した側面図である。
【発明を実施するための形態】
【００２２】
以下に添付図面を参照しながら、本発明が属する技術分野において通常の知識を有する者が容易に実施できるように、本発明の好適な実施の形態について詳細に説明する。なお、本明細書及び図面において、実質的に同一の機能構成を有する構成要素については、同一の符号を付することにより重複説明を省略する。なお、本発明は多様な形態で実施されることができ、以下で説明する実施形態に限られない。
【００２３】
図１は本発明の第１実施形態に係る二次電池を示した斜視図であり、図２は図１においてＩＩ−ＩＩ線に沿って切断して示した断面図である。
【００２４】
図１及び図２を参照して説明すると、本実施形態に係る二次電池１００は、正極１１と負極１２との間に絶縁体のセパレータ１３を介して巻き取られた複数の電極組立体１０と、電極組立体１０が内蔵されるケース３４と、ケース３４の開口に結合されたキャップアセンブリー２０を含む。
【００２５】
本実施形態に係る二次電池１００はリチウムイオン二次電池であって、角型であることを例示して説明する。但し、本発明がこれに限定されるのではなく、本発明はリチウムポリマー電池または円筒型電池などの多様な形状の電池に適用されてもよい。
【００２６】
正極１１及び負極１２は、薄板の金属箔で形成された集電体に活物質が塗布された領域であるコーティング部と活物質がコーティングされない領域である無地部１１ａ、１２ａを含む。正極無地部１１ａは正極１１の長手方向に沿って正極１１の一側端に形成され、負極無地部１２ａは負極１２の長手方向に沿って負極１２の他側端に形成される。そして正極１１及び負極１２は絶縁体のセパレータ１３を間に介した後に巻き取られる。
【００２７】
但し、本発明がこれに限定されるのではなく、前記電極組立体１０は複数のシート（ｓｈｅｅｔ）からなる正極と負極がセパレータを間において交互に積層された構造からなってもよい。ケース３４内には２つの電極組立体１０が並んで配置され、端子２１、２２と電気的に連結される。但し、本発明がこれに限定されるのではなく、３つ以上の電極組立体１０が設置されてもよい。
【００２８】
ケース３４は二次電池１００の全体的な外形を形成し、アルミニウム、アルミニウム合金またはニッケルがメッキされたスチールのような導電性金属で形成されてもよい。また、ケース３４は電極組立体１０を内蔵する空間を提供する。例えば、ケース３４は直六面体に対応する形状の電極組立体１０を収容するように一側に開口を有する直六面体の角型からなってもよい。開口は図１及び図２に示されたケース３において上方を向いてもよい。
キャップアセンブリー２０は、ケース３４の開口を覆うキャッププレート３０と、キャッププレート３０の外側に突出し、正極１１と電気的に連結された正極端子２１と負極１２と電気的に連結された負極端子２２を含む。
【００２９】
キャッププレート３０は薄板からなり、ケース３４の開口と結合される。キャッププレート３０の電解液注入口３１には密封キャップ３８が設置され、ベント孔３２には設定された圧力で開放されるように切欠３９ａが形成されたベント部材３９が設けられる。
【００３０】
正極端子２１及び負極端子２２はキャッププレート３０を貫いて設置され、下部にキャッププレート３０の下に支持された鍔２１ａ、２２ａが形成され、キャッププレート３０の外側に突出した上部柱の外周面はねじ加工される。また、端子２１、２２には上部において支持するナット２９が締結される。ナット２９の下にはナット２９の締結力を緩衝するワッシャー２４が設けられる。
【００３１】
本実施形態においては、端子２１、２２がナット２９を介して固定されたことを例示しているが、本発明がこれに限定されるのではなく、端子２１、２２はリベット構造からなったり、溶接によって固定されてもよい。
【００３２】
端子２１、２２とキャッププレート３０との間には下部ガスケット２７と上部ガスケット２５が設置され、下部ガスケット２７は鍔２１ａ、２２ａとキャッププレート３０との間に位置し、上部ガスケット２５はキャッププレート３０とワッシャー２４との間に位置する。
【００３３】
正極端子２１には正極無地部１１ａに溶接によって接合された正極集電リードタップ５０が付着し、負極端子２２には負極無地部１２ａに溶接によって接合された負極集電リードタップ４０が付着する。正極集電リードタップ５０は、二つの電極組立体１０の正極無地部１１ａに全て溶接によって付着され、負極集電リードタップ４０も二つの電極組立体１０の負極無地部１２ａに溶接によって付着される。
【００３４】
鍔２１ａ、２２ａの下には下部突起２１ｂ、２２ｂが形成されているが、集電リードタップ４０、５０は下部突起２１ｂ、２２ｂに溶接によって固定される。但し、本発明がこれに限定されるのではなく、端子と集電リードタップが一体に形成されてもよい。
【００３５】
一方、端子２１、２２とキャッププレート３０との間には下部絶縁部材２６が設置されるが、集電リードタップ４０、５０の上端と端子２１、２２の鍔２１ａ、２２ａが下部絶縁部材２６に形成された溝に挿入設置される。
【００３６】
図３は本発明の第１実施形態に係る集電リードタップを示した斜視図であり、図４は本発明の第１実施形態に係る集電リードタップが電極組立体に付着された状態を示した側面図である。
【００３７】
図３及び図４を参照して、集電リードタップについてより詳しく説明する。
【００３８】
負極集電リードタップ４０は正極集電リードタップ５０と同一構造からなるため、正極集電リードタップ５０に関する説明をもって負極集電リードタップ４０に関する説明を代替する。
【００３９】
正極集電リードタップ５０は端子に固定される端子接合部５１と、端子接合部５１の下に繋がって形成されて複数の電極組立体１０の間に挿入された複数の電極組立体接合部、つまり、タップ枝部（ｐｒｏｎｇｓ）５３、５４を含む。
【００４０】
端子接合部５１とタップ枝部５３、５４との間には端子接合部５１から下に繋がった連結板５２が形成され、タップ枝部５３、５４は連結板５２からケース３４の底面に向かって繋がり、一側の電極組立体１０の正極無地部１１ａに溶接によって付着される第１タップ枝５３と他側の電極組立体１０の正極無地部１１ａに溶接によって付着される第２タップ枝５４で構成される。
【００４１】
端子接合部５１には正極端子の下部突起２１ｂが嵌合される端子孔５１ａが形成され、正極端子２１の下部に溶接によって接合される。連結板５２は端子接合部５１の下に直角に折曲形成される。連結板５２の下には連結板５２の外側にさらに延びる分枝部５６が形成される。分枝部５６は連結板５２の下から連結板５２の両側端より外側にさらに延びるように形成される。分枝部５６の両側端には各々第１タップ枝５３と第２タップ枝５４が形成されるが、タップ枝部５３、５４は四角棒状からなり、タップ枝部５３、５４は連結板５２から電極組立体１０の中心に向かって直角に折曲される。これによって、タップ枝部５３、５４は電極組立体１０の広い前面と平行になり、第１タップ枝５３と第２タップ枝５４は相互平行に形成される。
【００４２】
このようにタップ枝部５３、５４が折曲形成されると、タップ枝部５３、５４は正極無地部１１ａと平行に配置され、正極無地部１１ａに超音波溶接によって接合されてもよい。
電極組立体１０は２つが互いに重なって配置され、一端には正極無地部１１ａが配置され、他端には負極無地部１２ａが配置される。正極無地部１１ａは活物質がコーティングされたコーティング部より小さな厚さを有するが、これにより正極無地部１１ａの間には離隔空間が形成され、この空間にタップ枝部５３、５４が挿入設置される。
【００４３】
第１タップ枝５３は第２タップ枝５４と同一構造からなるため、第１タップ枝５３に関する説明をもって第２タップ枝５４に関する説明を代替する。
【００４４】
第１タップ枝５３は分枝部に固定設置された溶接バー（主ボディー（ｍａｉｎ  ｂｏｄｙ））５３ａと、電極組立体の外側に向かって折曲された折曲バー（傾斜ボディー（ａｎｇｌｅｄ  ｂｏｄｙ））５３ｂと、傾斜ボディー５３ｂの端部に形成された挿入チップ５３ｃを含む。傾斜ボディー５３ｂは主ボディー５３ａに対して主ボディー５３ａが付着される電極組立体１０の中心から外側に向かう方向に傾いて形成され、５度〜９０度に傾いて形成されてもよい。挿入チップ５３ｃは傾斜ボディー５３ｂの端部に形成されて正極無地部１１ａから離隔する。これによって対向する二つの挿入チップ５３ｃの間隔は、対向する主ボディーの間の間隔より小さくなる。
【００４５】
但し、挿入チップ５３ｃは電極組立体１０の間の境界面よりさらに内側に位置して対向する挿入チップ５３ｃが接触することはない。
【００４６】
これによって、正極集電リードタップ５０を電極組立体１０の間に挿入する時、挿入チップ５３ｃが正極無地部１１ａから離隔した状態で挿入されるため、正極無地部１１ａを損傷せず、集電リードタップ５０を容易に挿入することができる。また、主ボディー５３ａが正極無地部１１ａに密着するように設計して主ボディー５３ａが正極無地部１１ａを加圧する場合にも挿入チップ５３ｃは正極無地部１１ａから離隔した状態で挿入されるため、集電リードタップ５０を容易に挿入することができる。このように主ボディー５３ａが正極無地部１１ａを加圧するように正極集電リードタップ５３を設置すると、主ボディー５３ａと正極無地部１１ａが密着して外部の衝撃や振動によって正極集電リードタップ５３と正極無地部１１ａの接触が不良になることを防止することができる。
【００４７】
図５は本発明の第２実施形態に係る集電リードタップを示した斜視図であり、図６は本発明の第２実施形態に係る集電リードタップが電極組立体に付着された状態を示した側面図である。
【００４８】
図５及び図６を参照して説明すると、本実施形態に係る集電リードタップ６０は、端子に固定される端子接合部６８と、端子接合部６８の下に繋がって形成され、電極組立体１０の間に挿入された複数の枝部６３、６４、６５、６６を含む。
【００４９】
本実施形態に係る二次電池は４つの電極組立体１０を含み、４つの電極組立体１０は平行に積層して並べられる。
【００５０】
タップ枝部６３、６４、６５、６６は、第１タップ枝６３と第２タップ枝６４、第３タップ枝６５、及び第４タップ枝６６からなり、４つの電極組立体接合部６３、６４、６５、６６は互いに平行に配置される。
【００５１】
端子接合部６８はキャッププレートと平行な板状からなり、中央には端子の下部突起が嵌合される端子孔６８ａが形成される。
【００５２】
端子接合部６８の下には端子接合部６８の側端よりさらに外側に突出した第１分枝部６１が形成されるが、第１分枝部６１は端子接合部６８から底面に向かって折曲形成される。第１分枝部６１の両側端には第１タップ枝６３と第２タップ枝６４が折曲形成される。第１タップ枝６３と第２タップ枝６４は電極組立体１０の中心に向かって折曲され、第１分枝部６１から電極組立体１０の下端に向かって延びて形成される。
【００５３】
第１分枝部６１の下にはケースの底面に向かって下に繋がった連結板６２が形成され、連結板６２の下には連結板６２の側端よりさらに外側に突出した第２分枝部６７が形成される。第２分枝部６７の両側端には各々第３タップ枝６５と第４タップ枝６６が形成される。第３タップ枝６５と第４タップ枝６６は電極組立体１０の中心に向かって折曲され、第２分枝部６７から電極組立体１０の下端に向かって繋がって形成される。
【００５４】
連結板６２は第１タップ枝６３と第２タップ枝６４との間に配置されるが、これによって、第３タップ枝６５と第４タップ枝６６も第１タップ枝６３と第２タップ枝６４との間に配置される。
【００５５】
各々のタップ枝部６３、６４、６５、６６は折曲されて平行に形成されるだけでなく、正極無地部１１ａとも平行に配置され、正極無地部１１ａに超音波溶接によって接合される。
【００５６】
電極組立体１０は４つが互いに重なって配置され、両側端部に無地部が形成される。正極無地部１１ａは活物質がコーティングされたコーティング部より小さい厚さを有するが、これによって正極無地部１１ａの間には離隔した空間が形成され、この空間にタップ枝部６３、６４、６５、６６が挿入設置される。
【００５７】
第１タップ枝６３と第３タップ枝６５は一側周縁に位置した正極無地部１１ａの間の空間に挿入され、第２タップ枝６４と第４タップ枝６６は他側周縁に位置した正極無地部１１ａの間の空間に挿入される。
【００５８】
第１タップ枝６３と第２タップ枝６４は同一形状からなり、第３タップ枝６５と第４タップ枝６６は長さだけは短く形成され、他の構成は同一である。第１タップ枝６３と第２タップ枝６４の下端は第３タップ枝６５と第４タップ枝６６の下端と同一部分に位置する。
従って、第１タップ枝６３に関する説明をもって他のタップ枝部６４、６５、６６に関する説明を代替する。
【００５９】
第１タップ枝６３は主ボディー６３ａと電極組立体の中心に電極組立体の間の境界面側に折曲されて傾いて形成された傾斜ボディー６３ｂと、傾斜ボディー６３ｂの端部に形成された挿入チップ６３ｃを含む。傾斜ボディー６３ｂは主ボディー６３ａに対して傾いて形成され、これによって挿入チップ６３ｃは正極無地部１１ａから離隔するが、これによりタップ枝部６３、６４、６５、６６を電極組立体１０の間に容易に挿入することができる。
【００６０】
また、主ボディー６３ａが正極無地部１１ａに密着形成された場合にも、挿入チップ６３ｃは正極無地部１１ａから離隔しているため、最初に正極無地部１１ａの間に容易に挿入でき、挿入される過程において主ボディー６３ａが正極無地部１１ａに密着するようになる。
【００６１】
このように本実施形態によれば、一つの集電リードタップ６０を利用して４つの電極組立体１０と正極端子２１を電気的に連結することができ、これにより集電リードタップ６０の設置及び組み立てが容易になって生産性が向上する。また、各々の電極組立体１０に集電された電流を他の経路を通して端子に伝達するため、ボトルネック現象を起こさず電流を安定的に伝達することができる。これによって集電リードタップ６０において電流が集中して抵抗が増加することを防止することができる。
【００６２】
図７は本発明の第３実施形態に係る集電リード部材が電極組立体に設置された様子を示した側面図である。
【００６３】
図７を参照して説明すると、本実施形態に係る集電リードタップ７０は、端子に溶接によって付着される端子接合部７８と、端子接合部７８の下に繋がって形成され、電極組立体１０の間に挿入された複数のタップ枝部７３、７４、７５を含む。
【００６４】
本実施形態に係る二次電池は３つの電極組立体１０を含み、３つの電極組立体１０は平行に積層して並べられる。
【００６５】
端子接合部７８はキャッププレート３０と平行に形成されて端子の下端に溶接によって固定される。タップ枝部７３、７４、７５は第１タップ枝７３と第２タップ枝７４、及び第３タップ枝７５からなり、３つのタップ枝部７３、７４、７５は平行に配置される。端子接合部７８の下には端子接合部７８の側端よりさらに外側に突出した第１分枝部７１が形成されるが、第１分枝部７１は端子接合部７８からケース３４の底面に向かって折曲形成される。
【００６６】
第１分枝部７１の一側端には第１タップ枝７３が折曲形成される。第１タップ枝７３は第１分枝部７１の側端において直角に折曲され、電極組立体１０の広い前面と平行に形成される。
【００６７】
第１分枝部７１の下にはケースの底面に向かって下に繋がった連結板７２が形成され、連結板７２の下には連結板７２の側端より外側にさらに突出した第２分枝部７６が形成される。第２分枝部７６の両側端には第２タップ枝７４と第３タップ枝７５が形成される。第２タップ枝７４と第３タップ枝７５は第２分枝部７６において電極組立体は広い前面と平行するように直角に折曲され、第２分枝部７６から電極組立体１０の下端に向かって繋がって形成される。
【００６８】
第１タップ枝７３は第２タップ枝７４と第３タップ枝７５に比べて長さだけは長く形成され、他の構成は同一である。第１タップ枝７３の下端は第２タップ枝７４と第３タップ枝７５の下端と同一部分に位置する。
【００６９】
各々のタップ枝部７３、７４、７５が折曲形成されると、各タップ枝７３、７４、７５は電極組立体１０の正極無地部１１ａと平行に配置され、正極無地部１１ａに超音波溶接によって接合される。
【００７０】
電極組立体１０は３つが互いに重なって配置され、正極無地部１１ａの間には離隔した空間が形成され、３つの電極組立体１０が重なって配置されるため、２つの離隔した空間が形成される。一側の離隔した空間に第１タップ枝７３と第２タップ枝７４が挿入され、第３タップ枝７５は外側に配置された電極組立体１０の正極無地部１１ａの外側面と接合される。
【００７１】
第１タップ枝７３は、正極無地部に溶接によって付着される主ボディー７３ａと、電極組立体１０の外側に屈曲した傾斜ボディー７３ｂと、傾斜ボディー７３ｂの端部に形成された挿入チップ７３ｃを含む。これによって集電リードタップ７０を電極組立体１０の間に容易に挿入することができる。
【００７２】
図８は本発明の第４実施形態に係る集電リード部材が電極組立体に設置された様子を示した側面図である。
【００７３】
図８を参照して説明すると、本実施形態に係る集電リードタップ８０は、端子に溶接によって付着される端子接合部８７と、端子接合部８７の下に繋がって形成されて電極組立体１０の間に挿入された複数のタップ枝部８３、８４、８５を含む。
【００７４】
本実施形態に係る二次電池は３つの電極組立体１０を含み、３つの電極組立体１０は平行に積層して並べられる。
【００７５】
端子接合部８７はキャッププレートと平行に形成されて端子の下端に溶接によって固定される。タップ枝部８３、８４、８５は第１タップ枝８３と第２タップ枝８４、及び第３タップ枝８５からなり、３つのタップ枝部８３、８４、８５は平行に配置される。端子接合部８７の下には端子接合部８７の側端よりさらに外側に突出した第１分枝部８１が形成されるが、第１分枝部８１は端子接合部８７から底面に向かって折曲形成される。
【００７６】
第１分枝部８１の一側端には第１タップ枝８３が折曲形成されて他側端には第３タップ枝８５が折曲形成される。第１タップ枝８３と第３タップ枝８５は第１分枝部８１の側端で直角に折曲され、電極組立体１０の広い前面と平行に形成される。
【００７７】
第１分枝部８１の下にはケースの底面に向かって下に繋がった連結板８６が形成され、連結板８６の下には連結板８６の一側端部より外側にさらに突出した第２分枝部８２が形成される。第２分枝部８２の一側端には第２タップ枝８４が形成される。
【００７８】
３つの電極組立体１０が重なって配置されるため、正極無地部１１ａの間には２つの離隔した空間が形成され、一側の離隔した空間に第１タップ枝８３と第２タップ枝８４が挿入され、他側の離隔した空間に第３タップ枝８５が挿入される。
【００７９】
第１タップ枝８３は正極無地部１１ａに溶接によって付着され、四角棒状の主ボディー８３ａと主ボディー８３ａの下において電極組立体１０の外側に折曲された傾斜ボディー８３ｂを含む。傾斜ボディー８３ｂは主ボディー８３ａに対して傾いて形成され、傾斜ボディー８３ｂの下端は電極組立体１０から離隔する。これによって集電リードタップ８０を電極組立体１０の間に容易に挿入することができる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１００    二次電池
１０      電極組立体
１１      正極
１２      負極
１３      セパレータ
２０      キャップアセンブリー
２１      正極端子
２２      負極端子
２１ａ、２２ａ      鍔
２１ｂ、２２ｂ      下部突起
３０      キャッププレート
３４      ケース
４０      負極集電リードタップ
５０      正極集電リードタップ
５１      端子接合部
５１ａ    端子孔
５２      連結板
５３      第１タップ枝
５４      第２タップ枝
５３ａ    主ボディー
５３ｂ    傾斜ボディー
５３ｃ    挿入チップ
５６      分枝部
【図１】
2011146379.tif 000003
【図２】
2011146379.tif 000004
【図３】
2011146379.tif 000005
【図４】
2011146379.tif 000006
【図５】
2011146379.tif 000007
【図６】
2011146379.tif 000008
【図７】
2011146379.tif 000009
【図８】
2011146379.tif 000010